(57)【特許請求の範囲】
【請求項１】
リーダに沿って昇降する回転駆動装置によって施工部材を回転させながら地中に圧入する杭打機において、前記リーダにおける前記回転駆動装置の昇降位置を検出する位置検出手段と、前記回転駆動装置の形式、前記リーダの形式及び長さ、前記施工部材の形式をあらかじめ設定する作業条件設定手段と、前記位置検出手段で検出した回転駆動装置の昇降位置、前記作業条件設定手段に設定された作業条件及び前記回転駆動装置に設けられた駆動源の形式に基づいて前記回転駆動装置から前記施工部材に与えるトルクの制限値を演算して表示する制御手段とを備えていることを特徴とする杭打機。
【発明の詳細な説明】
【技術分野】
【０００１】
本発明は、杭打機に関し、詳しくは、リーダに沿って昇降する回転駆動装置で鋼管杭やスクリューロッドなどの施工部材を回転させながら地中に圧入する杭打機に関する。
【背景技術】
【０００２】
リーダに沿って昇降する回転駆動装置で鋼管杭などの施工部材を地中に回転圧入する杭打機において、リーダに対する回転駆動装置の高さに応じて回転駆動装置の油圧モータに供給する油圧を変化させることにより、リーダへの負担を抑えながら効率よく回転圧入を行えるようにした制御装置が知られている（例えば、特許文献１参照。）。
【先行技術文献】
【特許文献】
【０００３】
【特許文献１】特開２００３−２３２０３８号公報
【発明の概要】
【発明が解決しようとする課題】
【０００４】
しかし、特許文献１に記載された制御装置は、回転駆動装置の駆動源として油圧モータを使用している杭打機を対象としたものであり、駆動源として電気モータを使用した回転駆動装置を備えた杭打機には、そのまま適用することができなかった。
【０００５】
そこで本発明は、回転駆動装置に設置した駆動源が油圧モータでも電気モータでも対応することができ、回転駆動装置の形式、リーダの形式及び長さ（高さ）、施工部材の変更などにも容易に対応することができる回転駆動装置用制御手段を備えた杭打機を提供することを目的としている。
【課題を解決するための手段】
【０００６】
上記目的を達成するため、本発明の杭打機は、リーダに沿って昇降する回転駆動装置によって施工部材を回転させながら地中に圧入する杭打機において、前記リーダにおける前記回転駆動装置の昇降位置を検出する位置検出手段と、前記回転駆動装置の形式、前記リーダの形式及び長さ、前記施工部材の形式をあらかじめ設定する作業条件設定手段と、前記位置検出手段で検出した回転駆動装置の昇降位置及び前記作業条件設定手段に設定された作業条件、前記回転駆動装置に設けられた駆動源の形式に基づいて前記回転駆動装置から前記施工部材に与えるトルクの制限値を演算して表示する制御手段とを備えていることを特徴としている。
【発明の効果】
【０００７】
本発明の杭打機によれば、回転駆動装置の昇降位置に基づいて最適なトルク制御を行うことができるので、リーダや、ベースマシンのリーダ取付部、起伏シリンダ、回転駆動装置を昇降可能にガイドするガイド部（ガイドレール、ガイドギブ）などが破損したりすることを防止しながら大きなトルクで施工部材を回転させることができ、作業効率を向上させることができる。さらに、電動式あるいは油圧式といった回転駆動装置の形式、作業条件に応じたリーダの形式や長さ、鋼管杭の圧入あるいは地盤改良といった施工部材の形式などを作業開始前に設定することにより、各種作業条件に応じた最適な状態で作業を行うことができる。
【図面の簡単な説明】
【０００８】
【図１】本発明の杭打機の一形態例を示す側面図である。
【図２】制御手段の一形態例を示すブロック図である。
【図３】回転駆動装置の昇降位置とトルク制限値との関係の一例を示す図である。
【発明を実施するための形態】
【０００９】
本形態例に示す杭打機１１は、クローラを備えた下部走行体１２と、該下部走行体１２上に旋回可能に設けられた上部旋回体１３とで構成されたベースマシン１４と、上部旋回体１３の前部に設けられたフロントブラケット１５に起伏可能に設けられたリーダ１６と、該リーダ１６を後方から支持する起伏シリンダ１７と、前記リーダ１６に昇降可能に設けられた回転駆動装置１８と、該回転駆動装置１８を昇降用チェーン１９を介して昇降させる昇降用モータ２０と、上部旋回体１３に設けられた運転室２１及びエンジンや油圧ユニット、発電機などを収納した機器室２２とを備えている。
【００１０】
さらに、前記リーダ１６の下部に配置されている昇降用モータ２０には、該昇降用モータ２０によって駆動されるスプロケットの回転状態をロータリーエンコーダで検出することによって回転駆動装置１８の昇降位置を、リーダ１６の最下方に回転駆動装置１８が位置した状態を基準として検出するための位置検出手段が設けられている。また、前記回転駆動装置１８に装着した鋼管杭やロッドなどの施工部材を回転させるためのトルクを、回転駆動装置１８の駆動源が電気モータの場合には電流により、あるいは、油圧モータの場合には油圧により検出するためのトルク検出手段が設けられている。これらの検出手段で検出した回転駆動装置１８の昇降位置及びトルクは、運転室２１に設けられた制御装置（制御手段）３１にそれぞれ伝達される。
【００１１】
前記制御装置３１は、図２に示すように、位置検出手段３２で検出した回転駆動装置１８の昇降位置信号３２ｓ、トルク検出手段３３で検出したトルク信号３３ｓ、運転室２１の操作盤に設けられた作業条件設定手段３４に設定された各種設定信号３４ｓ及びオペレータが操作するトルク設定つまみ３５に設定されたトルク設定信号３５ｓが入力信号として入力される。また、出力信号としては、前記各信号３２ｓ〜３５ｓに基づいて算出したトルク制限信号３６ｓが回転駆動装置１８の駆動源制御部３６に出力されるとともに、各入力信号に基づく各種表示信号３７ｓが操作盤に設けられているＬＣＤ３７などに出力される。
【００１２】
通常の作業では、回転駆動装置１８の昇降位置のみが変数となり、位置検出手段で検出した回転駆動装置１８の昇降位置と、作業条件設定手段であらかじめ設定した回転駆動装置１８の形式、リーダ１６の形式及び長さ、施工部材の形式などの各種作業条件とに基づいて回転駆動装置１８のトルク制限値を演算して設定する。すなわち、図３の直線Ｌに示すように、トルク制限値は、回転駆動装置１８がリーダ１６の下端部に位置しているとき（昇降位置０％）に最大（トルク制限値１００％）となり、回転駆動装置１８がリーダ１６の上端部（昇降位置１００％）に位置しているときに最小（例えばトルク制限値２０〜３０％）となるように設定される。
【００１３】
このとき、前記トルク設定つまみを最大にしたときには、回転駆動装置１８の昇降位置に応じたトルク制限値あるいはトルク制限値をあらかじめ設定した割合で下回る値がトルク設定値として回転駆動装置１８の駆動源に出力される。一方、トルク設定つまみが中間位置の場合は、図３に破線Ｌａで示すように、トルク設定つまみで設定したトルクがトルク制限値以下の範囲では、トルク設定つまみで設定したトルク設定値がそのまま回転駆動装置１８の駆動源に出力されることによって施工部材が一定のトルクで回転し、回転駆動装置１８がリーダ１６の上方に位置し、トルク設定つまみで設定したトルクがトルク制限値を超える範囲では、トルク制限値がトルク設定値として回転駆動装置１８の駆動源に出力されるとともに、これらの情報がＬＣＤなどに表示される。また、作業中に地盤の状態により一時的にトルクが上昇した場合も、トルク制限値を超えることがないように制御される。これにより、リーダ１６などの破損を防止しながら大きなトルクで施工部材を回転させて施工することができるので、鋼管杭の圧入作業や地盤改良作業などを効率よく行うことができる。
【００１４】
なお、回転駆動装置１８のトルク設定は、周知の手法で行うことが可能であり、駆動源に電気モータを使用した電気式回転駆動装置の場合には電気モータに供給する電力の電圧又は電流を制御すればよく、駆動源に油圧モータを使用した油圧式回転駆動装置の場合には油圧モータに供給する作動油の圧力を制御すればよい。さらに、前記トルク制限値は、図３に示すように連続的（直線的）に設定することができるが、リーダ１６の適当な長さごと、例えば１ｍごとなどの範囲で階段状に設定することもできる。
【００１５】
また、リーダ１６の長さを変更した場合には、前記作業条件設定手段にリーダ１６の長さを入力又は選択し、回転駆動装置１８をリーダ１６の最下端に下降させた位置を基準位置として回転駆動装置１８の昇降位置を検出することにより、回転駆動装置１８の昇降位置に応じたトルク制限値を前記同様に設定することができる。さらに、鋼管杭を圧入する際には鋼管杭の径や螺旋羽根の状態等を前記作業条件設定手段に入力したりすることにより、鋼管杭の種類に応じたトルク制限値を得ることができ、地盤改良においても、中空ロッドや掘削刃の種類を作業条件設定手段に入力したりすることにより、中空ロッドや掘削刃の種類に応じたトルク制限値を得ることができる。また、回転駆動装置１８が電動式か油圧式かも選択可能としておくことにより、現場の状況によって回転駆動装置を交換した場合にも、前記同様にしてトルク制限値を得ることができ、リーダの破損などを防止しながら駆動源に応じた作業を効率よく行うことができる。
【００１６】
さらに、トルク検出手段３３で検出したトルクがトルク制限値に近付いたときに予報を出力したり、トルク制限値を超えたトルクが検出されたときに警報を出力したりすることもでき、このような予報や警報及びＬＣＤ３７に表示された情報を読み取ってオペレータがトルク設定つまみ３５を操作し、最適な作業状態を保つようにすることもできる。また、回転駆動装置１８がリーダ１６の最下端に下降したときに作動するリミットスイッチを設けておくことにより、該リミットスイッチによって基準位置、すなわち、昇降位置（高さ）が０ｍであることを検出することができる。
【符号の説明】
【００１７】
１１…杭打機、１２…下部走行体、１３…上部旋回体、１４…ベースマシン、１５…フロントブラケット、１６…リーダ、１７…起伏シリンダ、１８…回転駆動装置、１９…昇降用チェーン、２０…昇降用油圧モータ、２１…運転室、２２…機器室、３１…制御装置、３２…位置検出手段、３３…トルク検出手段、３４…作業条件設定手段、３５…トルク設定つまみ、３６…駆動源制御部、３７…ＬＣＤ
【図１】
0005517841.tif 000002
【図２】
0005517841.tif 000003
【図３】
0005517841.tif 000004